(57)【特許請求の範囲】
【請求項１】
視聴した番組のジャンルコードを取得してそのジャンルの視聴頻度を示す情報を作成する頻度情報作成手段と、番組の視聴中に送信されている番組情報のなかから前記ジャンル視聴頻度情報に基づいて視聴頻度の高いジャンルの番組情報を取得する番組情報取得手段と、視聴者によってジャンル検索指示がなされたときに前記番組情報取得手段が取得しておいた番組情報の表示を行う検索結果表示手段と、を備えたことを特徴とするディジタル放送受信装置。
【発明の詳細な説明】
【０００１】
【産業上の利用分野】
この発明は、映像や音声に加えて番組情報も送信するディジタル放送を受信するディジタル放送受信装置に関する。
【０００２】
【従来の技術】
ディジタル信号圧縮技術を用いて映像・音声信号を圧縮するとともに、複数番組の映像・音声ディジタル信号を時分割多重したストリーム（トランスポート・ストリーム）をトランスポンダ（衛星中継器）を経由して放送するディジタル放送がある。前記トランスポンダは複数存在しており、しかも各トランスポンダには複数チャンネルが多重されるため、チャンネル数は数百にもおよぶ膨大な数になっている。一方、このようなディジタル多チャンネル放送を受信する放送受信装置は、専用のアンテナを通して受け取ったディジタル放送の複数のトランスポンダのなかから一つをチューナによって選択し、この一つのトランスポンダに含まれる複数のチャンネルのうち一つをデマルチプレクス処理によって選択し、この選択したチャンネルのディジタル信号をデコードすることによって映像・音声信号を出力するようになっている。
【０００３】
ところで、このようなディジタルテレビ放送では、従来のアナログ放送と同様に映像や音声を送信することに加え、サービス情報（番組名、番組内容、番組開始時間、番組終了時間、番組ジャンルコード、番組視聴適正情報など）も送信しており、多チャンネル放送のなかから視聴者が望む番組を効率良く選択できるようになっている。特に、番組ジャンルコードでは、洋画、邦画、野球などの番組分類がなされており、視聴者は放送受信装置に備えられたＥＰＧ（Ｅｌｅｃｔｒｏｎｉｃ  Ｐｒｏｇｒａｍ  Ｇｕｉｄｅ）画面表示機能による画面メニューから自分の見たい番組のジャンルを指定すると、放送受信装置は現在送信されているストリームのなかから番組情報を検索し、該当する番組の番組名、番組内容、番組開始時間などの一覧をディスプレイ画面に表示するようになっている。
【０００４】
【発明が解決しようとする課題】
しかしながら、番組情報を検索して該当する番組名などの一覧を表示するまでにかなりの時間を必要としているのが実情である。例えば、通信衛星を利用したＣＳディジタル放送における現状での番組情報の送信頻度では、視聴者が自分の見たいジャンルを指定してから該当する番組の画面が表示されるまでに通常で数十秒から数分程度を要している。また、視聴者がジャンル検索画面で自分の見たいジャンルを指定するのに数多くのキー入力操作が必要であり、リモコン操作が煩わしいといった問題もある。
【０００５】
この発明は、上記の事情に鑑み、番組のジャンル検索が快適に行えるディジタル放送受信装置を提供することを目的とする。
【０００６】
【課題を解決するための手段】
この発明のディジタル放送受信装置は、上記の課題を解決するために、視聴した番組のジャンルコードを取得してそのジャンルの視聴頻度を示す情報を作成する頻度情報作成手段と、番組の視聴中に送信されている番組情報のなかから前記ジャンル視聴頻度情報に基づいて視聴頻度の高いジャンルの番組情報を取得する番組情報取得手段と、視聴者によってジャンル検索指示がなされたときに前記番組情報取得手段が取得しておいた番組情報の表示を行う検索結果表示手段と、を備えたことを特徴とする。
【０００７】
上記の構成であれば、視聴者が例えば野球放送をよく視聴していたとすれば、番組の視聴中に送信されている番組情報のなかから野球のジャンルコードを持つ番組情報が取り出され、視聴者がジャンル検索指示を行ったときには野球の番組情報が自動的に表示されることになる。視聴者がジャンル検索を行うときに指定するジャンルは通常は視聴者が興味を持っているジャンルであり、興味のないジャンルを指定してジャンル検索を行うことはあまり考えられない。そして、視聴者がどのようなジャンルの番組に興味を持っているかは、視聴者が実際に視聴している番組がどのようなジャンルに属するかの情報によって把握することが可能である。従って、野球放送をよく見る視聴者がジャンル検索を行うときには野球についてのジャンル検索を行おうとしている場合が多いと考ることができ、上述のごとく野球についての番組情報が表示されたときには、視聴者の検索意図に合った検索となる場合が多く、かかる場合には、ジャンル検索画面に至るまでのキー操作が大幅に省けたことになる。また、番組の視聴中に当該放送受信装置が番組情報を取得しておくので、視聴者がジャンル検索指示をしたときに、すぐに検索結果を画面に表示することが可能になる。
【０００８】
【発明の実施の形態】
以下、この発明の実施形態を図１乃至図３に基づいて説明するが、ここではユーザがＣＳ（Ｃｏｍｍｕｎｉｃａｔｉｏｎ  Ｓａｔｅｌｌｉｔｅ）ディジタル放送を視聴する場合を例示している。図１はＣＳディジタル放送を受信するこの実施形態のディジタル放送受信装置２０を示したブロック図であり、図２はジャンル検索画面例を示した説明図であり、図３は視聴番組のジャンルを取得してその視聴頻度を示す情報を作成記憶する処理例を示すフローチャートである。
【０００９】
図１において、チューナ１は、受信した高周波ディジタル変調信号のうちから特定周波数の信号を取り出す。すなわち、ディジタル放送の複数のトランスポンダのなかから一つを選択する処理を行う。また、チューナ１は、復調回路、逆インタリーブ回路、誤り訂正回路などを備えることにより、選択したディジタル変調信号を復調してトランスポート・ストリームを出力する。このトランスポート・ストリームには、例えば４ないし８チャンネル分の複数のトランスポートパケットが含まれている。
【００１０】
デマルチプレクサ（ＤＥＭＵＸ）２は、チューナ１から受け取ったトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、およびＰＳＩ（Ｐｒｏｇｒａｍ  Ｓｐｅｃｉｆｉｃ  Ｉｎｆｏｒｍａｔｉｏｎ）に分離する。ビデオトランスポートパケットは映像処理回路４に供給され、オーディオトランスポートパケットは音声処理回路５に供給され、ＰＳＩに含まれるサービス情報などはＣＰＵ３に供給される。なお、前述のごとく、トランスポート・ストリームには複数のチャンネルが多重化されており、このなかから任意のチャンネルを選択するための処理は、前記ＰＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩの情報に基づいて行うことができる。
【００１１】
映像処理回路４は、入力された可変長符号を復号して量子化係数や動きベクトルを求め、逆ＤＣＴ変換や動きベクトルに基づく動き補償制御などを行う。ＮＴＳＣ変換部７は、映像処理回路４から映像データを受け取り、Ｄ／Ａ変換を行い、ＮＴＳＣフォーマットのコンポジット信号に変換し、これを映像出力端子８に供給する。音声処理回路５は、入力された符号化信号を復号して音声データを生成し、このデータに対してＤ／Ａ変換処理を行い、右（Ｒ）音のアナログ信号および左（Ｌ）音のアナログ信号を生成し、これを音声出力端子９に供給する。
【００１２】
ＯＳＤ（オンスクリーンディスプレイ）回路１０は、ＣＰＵ３から出力指示された文字情報に基づくビットマップデータを加算器６に出力する。加算器６は前記ビットマップデータを映像処理回路４から出力される映像データに組み込む処理を行う。上記ＯＳＤ回路１０により、前記ＰＳＩに含まれるサービス情報に基づくＥＰＧ（Ｅｌｅｃｔｒｏｎｉｃ  Ｐｒｏｇｒａｍ  Ｇｕｉｄｅ）画面表示が実現される他、操作ガイド画面などの表示も行えることになる。
【００１３】
リモコン受信部１１は、図示しないリモコン送信機からのリモコン信号光を受光し、これを電気信号に変換してＣＰＵ３に与える。
【００１４】
ＣＰＵ３は、この発明に係わる処理として以下の処理を行う。
【００１５】
▲１▼．現在視聴している番組のジャンルコードを取得してその視聴頻度を示す情報を作成し、この作成したジャンル視聴頻度情報を不揮発性メモリ（例えば、ＥＥＰＲＯＭなど）１３に格納する処理を行う。すなわち、視聴者がチャンネルを指定すると、この指定されたチャンネルの放送番組を受信すべく、チューニング処理が行われてディスプレイ上に受信映像が表示されることになり、このとき、ＣＰＵ３は図３のフローチャートに示すように、上記チューニング処理（ステップＳ１）の後に受信したＰＳＩのサービス情報から視聴中の番組情報を取得する（ステップＳ２）。そして、当該番組を一定時間以上視聴したかどうかを判断し（ステップＳ３）、視聴していなければ一定時間待機して（ステップＳ６）、ステップ３に戻る。一方、一定時間視聴したのであれば視聴番組情報からジャンルコードを取り出し（ステップＳ４）、当該ジャンルコードに基づいて不揮発性メモリ１３内の視聴番組ジャンルテーブルを更新する（ステップＳ５）。例えば、視聴番組のジャンルコードが“サッカー”であって、視聴番組ジャンルテーブルの“サッカー”の値が“４”であったのなら、これに“１”を加算した“５”に更新することになる。
【００１６】
▲２▼．番組の視聴中に前記不揮発性メモリ１３に記憶されている視聴番組ジャンルテーブルから視聴頻度の高い番組のジャンルコードを取り出す。そして、番組の視聴中に送信されている番組情報のなかから、前記ジャンルコードに一致するジャンル、すなわち視聴頻度の高いジャンルの番組情報（番組名、チャンネル番号、開始時刻など）を取得し、この番組情報をメモリ１２に格納する。例えば、視聴番組ジャンルテーブルのなかで最も値が高いジャンルがサッカーであれば、サッカーのジャンルコードを与えられている番組情報を取得し、時間があれば次に視聴頻度が高いジャンルについて番組情報を取得していくことになる。
【００１７】
▲３▼．視聴者が自動ジャンル検索を指示したとき、前記メモリ１２に格納されている番組情報を読み出し、この番組情報の映像表示指示をＯＳＤ回路１０に行う。ＯＳＤ回路１０はＣＰＵ３から出力指示された文字情報に基づくビットマップデータを加算器６に出力することになり、これによってジャンル検索画面がディスプレイ上に表示される。例えば、視聴者がサッカー番組をよく見ていたのであれば、図２（ａ）に示すように、自動ジャンル検索画面においてサッカーの番組情報が表示されることになる。また、図２（ｂ）に示すジャンル検索画面では、視聴頻度が第１位のジャンルがサッカー、第２位のジャンルが野球、第３位のジャンルがゴルフであることを示すとともに、最初の画面では第１位のジャンルであるサッカーの番組情報を表示している。この表示状態から視聴者が野球を指示すれば野球の番組情報表示に切り換わることになる。
【００１８】
上述のごとく、視聴者がサッカーや野球などをよく視聴していたのであれば、番組の視聴中に送信されている番組情報のなかからサッカーや野球などのジャンルコードを持つ番組情報が取り出されることになり、視聴者がジャンル検索指示を行ったときにはサッカーや野球の番組情報が自動表示されることになる。視聴者がジャンル検索を行うときに指定するジャンルは通常は視聴者が興味を持っているジャンルであり、興味のないジャンルを指定してジャンル検索を行うことはあまり考えられない。そして、視聴者がどのようなジャンルの番組に興味を持っているかは、視聴者が実際に視聴している番組がどのようなジャンルに属するかの情報によって把握することが可能である。従って、サッカーや野球放送をよく見る視聴者がジャンル検索を行うときにはサッカーや野球についてのジャンル検索を行おうとしている場合が多いと考ることができ、上述のごとくサッカーや野球についての番組情報が表示されたときには、視聴者の検索意図に合った検索となる場合が多く、かかる場合には、ジャンル検索画面に至るまでのキー操作が大幅に省けたことになる。また、番組の視聴中に当該放送受信装置２０が番組情報を取得しておくので、視聴者がジャンル検索指示をしたときに、すぐに検索結果を画面に表示することが可能になる。
【００１９】
なお、この実施形態では、ジャンルの視聴頻度を示す情報を記憶する記憶手段として不揮発性メモリ１３を用いたので、たとえ放送受信装置のコンセントが外れたり停電が生じたような場合でも、ジャンルの視聴頻度を示す情報を消失してしまうことがない。また、この実施形態では、ユーザがＣＳディジタル放送を視聴する場合を例に説明したが、これに限らず、ＣＡＴＶ放送などを視聴する場合にも適用することが可能である。
【００２０】
【発明の効果】
以上説明したように、この発明によれば、ジャンル検索において視聴者が今までよく見ていたジャンルの番組情報が表示されるから、ジャンル検索画面で自分の見たいジャンルを指定する操作が省けることが多くなる。また、番組の視聴中に当該放送受信装置が番組情報を取得しておくため、視聴者がジャンル検索指示をしたときに、すぐに検索結果を画面に表示できるという効果を奏する。
【図面の簡単な説明】
【図１】この発明の実施形態のディジタル放送受信装置を示すブロック図である。
【図２】同図（ａ）はこの発明の実施形態の自動ジャンル検索画面の一例を示す説明図であり、同図（ｂ）は他の例を示す説明図である。
【図３】現在視聴している番組のジャンルコードを取得してその視聴頻度を示す情報を不揮発性メモリに格納する処理を示したフローチャートである。
【符号の説明】
１    チューナ
２    デマルチプレクサ（ＤＥＭＵＸ）
３    ＣＰＵ
４    映像処理回路
５    音声処理回路
１０  ＯＳＤ回路
１２  メモリ
１３  不揮発性メモリ
【図１】
0003594524.tif 000002
【図２】
0003594524.tif 000003
【図３】
0003594524.tif 000004